(57)【要約】 【課題】感度と画像品質を向上させる黄色フィルタを有するイメージセンサを提供する。【解決手段】光線を検知する検知層１０、および複数の画素グループＥ１を含み、画素グループＥ１の各々は、光線の緑色光成分と赤色光成分を通過させる黄色フィルタユニット２０ａ、光線の緑色光成分を通過させる緑色フィルタユニット２０ｂ、および光線の青色光成分を通過させる青色フィルタユニット２０ｃを含むイメージセンサ。【選択図】図１
2017076769.tif 000002
【特許請求の範囲】
【請求項１】
光線を検知する検知層、および
複数の画素グループを含み、前記画素グループの各々は、
前記光線の緑色光成分と赤色光成分を通過させる黄色フィルタユニット、
前記光線の前記緑色光成分を通過させる緑色フィルタユニット、および
前記光線の青色光成分を通過させる青色フィルタユニットを含むイメージセンサ。
【請求項２】
前記画素グループは、前記光線の前記赤色光成分を通過させるが、前記光線の前記緑色光成分と前記青色光成分をブロックする赤色フィルタユニットを含まない請求項１に記載のイメージセンサ。
【請求項３】
前記黄色フィルタユニット、前記緑色フィルタユニット、および前記青色フィルタユニットは、直線に沿って配置される請求項１に記載のイメージセンサ。
【請求項４】
前記画素グループの各々は、強調フィルタユニットを更に含み、
前記黄色フィルタユニット、前記緑色フィルタユニット、前記青色フィルタユニット、および前記強調フィルタユニットは、フィルタアレイに配置される請求項１に記載のイメージセンサ。
【請求項５】
前記強調フィルタユニットは、前記光線の赤外光成分を通過させる請求項４に記載のイメージセンサ。
【請求項６】
前記強調フィルタユニットは、前記光線の前記赤色、緑色、および青色成分を通過させる透明フィルタユニットである請求項４に記載のイメージセンサ。
【請求項７】
前記黄色フィルタユニットは、特定波長より長い波長の光線を通過させるハイパスフィルタであり、前記特定波長は、約４７０ｎｍ〜５４０ｎｍの範囲において５０％の透過率となる波長として定義される請求項１に記載のイメージセンサ。
【請求項８】
前記緑色フィルタユニットは、前記光線の緑色波長帯を通過させるバンドパスフィルタであり、前記緑色波長帯のうち透過率が５０％となる短波長側の波長は、前記黄色フィルタユニットの前記特定波長以下である請求項７に記載のイメージセンサ。
【請求項９】
前記検知層は、
前記黄色フィルタユニットの下方に配置され、前記黄色フィルタユニットを通過し入射する前記光線の強度に基づいて黄色強度信号を生成する第１の検知ユニット、および
前記緑色フィルタユニットの下方に配置され、前記緑色フィルタユニットを通過し入射する前記光線の強度に基づいて緑色強度信号を生成する第２の検知ユニットを含み、
赤色の画素値は、前記黄色強度信号と前記緑色強度信号に基づいて生成される請求項１に記載のイメージセンサ。
【請求項１０】
光線を検知する検知層、および
複数の画素グループを含み、前記画素グループの各々は、
前記光線の緑色光成分と赤色光成分を通過させる黄色フィルタユニット、および前記光線の赤色光成分、緑色光成分および青色光成分を通過させる第１の透明フィルタユニットを含む第１のカラーグループ、
前記光線の緑色光成分を通過させる緑色フィルタユニット、および前記光線の赤色光成分、緑色光成分および青色光成分を通過させる第２の透明フィルタユニットを含む第２のカラーグループ、および
前記光線の青色光成分を通過させる青色フィルタユニット、および前記光線の赤色光成分、緑色光成分および青色光成分を通過させる第３の透明フィルタユニットを含む第３のカラーグループを含むイメージセンサ。
【請求項１１】
光線を検知する検知層、および
画素アレイに配置された複数の画素グループを含み、前記画素グループの各々は、
前記光線の緑色光成分と赤色光成分を通過させる黄色フィルタユニット、および前記光線の赤色光成分、緑色光成分および青色光成分を通過させる複数の第１の透明フィルタユニットを含み、前記黄色フィルタユニットと前記第１の透明フィルタユニットは、第１のフィルタアレイに配置される第１のカラーグループ、
前記光線の緑色光成分を通過させる緑色フィルタユニット、および前記光線の前記赤色光成分、緑色光成分および青色光成分を通過させる複数の第２の透明フィルタユニットを含み、前記緑色フィルタユニットと前記第２の透明フィルタユニットは、第２のフィルタアレイに配置される第２のカラーグループ、および
前記光線の青色光成分を通過させる青色フィルタユニット、および前記光線の赤色光成分、緑色光成分および青色光成分を通過させる複数の第３の透明フィルタユニットを含み、前記青色フィルタユニットと前記第３の透明フィルタユニットは、第３のフィルタアレイに配置される第３のカラーグループを含み、
前記画素グループは、前記光線の前記赤色光成分を通過させるが、前記光線の前記緑色光成分と前記青色光成分をブロックする赤色フィルタユニットを含まないイメージセンサ。
【発明の詳細な説明】
【技術分野】
【０００１】
本発明は、イメージセンサに関し、特に、黄色フィルタユニットを有するイメージセンサに関するものである。
【背景技術】
【０００２】
一般的に、デジタルカメラは、イメージセンサを用いて光を検知し、画像信号を生成するため、デジタルカメラで撮影された画像は、画像信号に基づいて生成されることができる。
【０００３】
デジタルカメラの継続的な発展に伴い、高品質の画像信号がますます求められている。裏面照射（ＢＳＩ）技術を用いたイメージセンサは、光をフォトダイオードに導くための光パイプ構造を有する。イメージセンサは、よりよい感度と画像品質を有する。
【０００４】
イメージセンサは一般的にそれらの意図された目的に適合しているが、すべての面において完全に満たしているわけではない。そのため、イメージセンサを向上させる解決策を提供することが望ましい。
【発明の概要】
【発明が解決しようとする課題】
【０００５】
本開示は、感度と画像品質を向上させる黄色フィルタを有するイメージセンサを提供する。
【課題を解決するための手段】
【０００６】
本開示は、光線を検知する検知層、および複数の画素グループを含むイメージセンサを提供する。各画素グループは、光線の緑色光成分と赤色光成分を通過させる黄色フィルタユニット、光線の緑色光成分を通過させる緑色フィルタユニット、および光線の青色光成分を通過させる青色フィルタユニットを含む。
【０００７】
本開示は、光線を検知する検知層、および複数の画素グループを含むイメージセンサを提供する。各画素グループは、第１のカラーグループ、第２のカラーグループ、および第３のカラーグループを含む。第１のカラーグループは、光線の緑色光成分と赤色光成分を通過させる黄色フィルタユニット、および光線の赤色光成分、緑色光成分および青色光成分を通過させる第１の透明フィルタユニットを含む。
【０００８】
第２のカラーグループは、光線の緑色光成分を通過させる緑色フィルタユニット、および光線の赤色光成分、緑色光成分および青色光成分を通過させる第２の透明フィルタユニットを含む。第３のカラーグループは、光線の青色光成分を通過させる青色フィルタユニット、および光線の赤色光成分、緑色光成分および青色光成分を通過させる第３の透明フィルタユニットを含む。
【０００９】
本開示は、光線を検知する検知層、および複数の画素グループを含むイメージセンサを提供する。各画素グループは、第１のカラーグループ、第２のカラーグループ、および第３のカラーグループを含む。第１のカラーグループは、光線の緑色光成分と赤色光成分を通過させる黄色フィルタユニット、および光線の赤色光成分、緑色光成分および青色光成分を通過させる複数の第１の透明フィルタユニットを含む。黄色フィルタユニットと第１の透明フィルタユニットは、第１のフィルタアレイに配置される。
【００１０】
第２のカラーグループは、光線の緑色光成分を通過させる緑色フィルタユニット、および光線の赤色光成分、緑色光成分および青色光成分を通過させる複数の第２の透明フィルタユニットを含む。緑色フィルタユニットと第２の透明フィルタユニットは、第２のフィルタアレイに配置される。
【００１１】
第３のカラーグループは、光線の青色光成分を通過させる青色フィルタユニット、および光線の赤色光成分、緑色光成分および青色光成分を通過させる複数の第３の透明フィルタユニットを含む。青色フィルタユニットと第３の透明フィルタユニットは、第３のフィルタアレイに配置される。画素グループは、光線の赤色光成分を通過させるが、光線の緑色光成分と青色光成分をブロックする赤色フィルタユニットを含まない。
【００１２】
結論を言うと、従来のイメージセンサの赤色フィルタユニットは、黄色フィルタユニットによって置き換えられる。黄色フィルタユニット２０ａは、光線の緑色光成分と赤色光成分を通過させ、黄色、緑色、および青色フィルタユニットは、人間の目の錐体のスペクトルに合ったものとなる。従って、イメージセンサの感度と画像品質を向上させる。
【図面の簡単な説明】
【００１３】
添付の図面とともに以下の本発明の様々な実施形態の詳細な説明を検討することで、本発明をより完全に理解できる。
【図１】本開示のいくつかの実施形態に基づく、イメージセンサの概略図である。
【図２】本開示のいくつかの実施形態に基づく、フィルタユニットの上面図である。
【図３Ａ】本開示のいくつかの実施形態に基づく、フィルタユニットの透過率と波長との対比を示す図である。
【図３Ｂ】人間の目の感度を示すスペクトル図である。
【図４】本開示のいくつかの実施形態に基づく、フィルタユニットの上面図である。
【図５】本開示のいくつかの実施形態に基づく、フィルタユニットの上面図である。
【図６】本開示のいくつかの実施形態に基づく、フィルタユニットの上面図である。
【図７】本開示のいくつかの実施形態に基づく、フィルタユニットの上面図である。
【図８】本開示のいくつかの実施形態に基づく、フィルタユニットの上面図である。
【図９】本開示のいくつかの実施形態に基づく、フィルタユニットの上面図である。
【図１０】本開示のいくつかの実施形態に基づく、フィルタユニットの上面図である。
【発明を実施するための形態】
【００１４】
本開示における種々の特徴を実施するために、以下に、多くの異なる実施の形態または実施例を提供する。本開示を簡素化するために、複数の要素および配列で示す特定の実施例を以下に説明する。例えば、以下の説明においては、第２の特徴の上方、または第２の特徴の上にある第１の特徴は、第１と第２の特徴とが直接接触して形成される実施形態を含むことができ、また、第１と第２の特徴が直接接触しないように、付加的な特徴が前記第１と第２の特徴の間に形成された実施形態を含むこともできる。
【００１５】
また、本開示では、種々の実施例において、参照番号および／または文字を繰り返し用いている。この繰り返しは、簡素化と明確さを目的とするものであって、種々の実施の形態および／または前述した構成との間の関係を規定するものではない。また、図における形状、大きさ、または厚さは、縮尺を示すために描いたものではなく、また、説明を明確にするために簡素化されたものでもなく、むしろ、単に例図として記載されたものである。
【００１６】
図１は、本開示のいくつかの実施形態に基づく、イメージセンサ１の概略図である。イメージセンサ１は、画像を撮像するように構成される。イメージセンサ１は、デジタルカメラなどの撮像機器に用いられることができる。いくつかの実施形態では、イメージセンサ１は、相補型金属酸化物半導体（ＣＭＯＳ）センサである。いくつかの実施形態では、イメージセンサ１は、裏面照射（ＢＳＩ）型のＣＭＯＳセンサである。
【００１７】
イメージセンサ１は、検知層１０、フィルタユニット２０、マイクロレンズ３０、およびプロセスモジュール４０を含む。検知層１０は、基準面Ｐ１に沿って延在している。検知層１０は、検知層１０に入射する光線に基づいて入射光線を検出するように構成される。
【００１８】
検知層１０は、以下の構成要素の全てを含むことができるが、検知層１０の目的が達成されるならば、検知層１０は、下記の構成要素の全てを含まなくてもよい。検知層１０は、基板１１、検知ユニット１２、およびパッシベーション層１３を含む。いくつかの実施形態では、検知層１０は、他の任意の層（図示されていない）を更に含む。
【００１９】
検知ユニット１２は、基板１１に配置される。検知ユニット１２は、基準面Ｐ１において、検知アレイに配列される。いくつかの実施形態では、検知ユニット１２は、フォトダイオードである。各検知ユニット１２は、光線を検知して、入射する光線の強さに基づいて強度信号を生成する。画像は、プロセスモジュール４０によって、強度信号に基づいて生成されることができる。
【００２０】
パッシベーション層１３は、基板１１上に配置される。パッシベーション層１３は、検知ユニット１２の下方の回路（図示されていない）を保護するためのものである。いくつかの実施形態では、パッシベーション層１３は、検知層１０に平行する。
【００２１】
図２は、本開示のいくつかの実施形態に基づく、フィルタユニット２０の上面図である。図１と図２に示されるように、フィルタユニット２０は、検知層１０のパッシベーション層１３上に配置される。フィルタユニット２０は、基準面Ｐ１に平行する面において、フィルタアレイに配列される。各フィルタユニット２０は、それぞれ、各検知ユニット１２の上方に配置される。フィルタユニット２０は、カラーフィルタユニットである。各フィルタユニット２０は、所定の範囲の波長の光線を通過させる。
【００２２】
いくつかの実施形態では、いくつかのフィルタユニット２０は、画素グループＥ１に属する。言い換えれば、画素グループＥ１は、検知ユニット１２の上方に配置され、基準面Ｐ１に平行する面において、画素アレイに配列される。各画素グループＥ１は、画素センサ１によって撮像された画像の１つの画素に対応する。
【００２３】
１つの画素グループＥ１に含まれるフィルタユニット２０の数は、限定されない。たとえば、画素グループＥ１は、少なくとも２つ、３つ、または４つのカラーフィルタユニット２０を含む。この実施形態では、各画素グループＥ１のフィルタユニット２０は、直線に沿って配置される。
【００２４】
マイクロレンズ３０は、画素グループＥ１に配置される。各マイクロレンズ３０は、それぞれ、各フィルタユニット２０の上方に配置される。マイクロレンズ３０は、基準面Ｐ１に平行する面において、マイクロレンズアレイに配列される。マイクロレンズ３０は、光線を検知ユニット１２に集光するように構成される。
【００２５】
プロセスモジュール４０は、各検知ユニット１２に電気的に接続される。プロセスモジュール４０は、フィルタユニット２０から強度信号を受信するように構成される。
【００２６】
図１に示されるように、光線がイメージセンサ１に入射するとき、光線はマイクロレンズ３０とフィルタユニット２０とを通過し検知ユニット１２に入射する。光線は、マイクロレンズ３０により集光される。各フィルタユニット２０は、所定の範囲の波長の光線を通過させる。各検知ユニット１２は、画素グループＥ１のフィルタユニット２０を通過して入射する光線の強さに基づいて強度信号を生成する。プロセスモジュール４０は、検知ユニット１２から強度信号を受信し、強度信号に基づいて画像を生成する。
【００２７】
図１と図２に示されるように、フィルタユニット２０は、黄色フィルタユニット２０ａ、緑色フィルタユニット２０ｂ、および青色フィルタユニット２０ｃを含む。黄色フィルタユニット２０ａ、緑色フィルタユニット２０ｂ、および青色フィルタユニット２０ｃは、検知層１０上に交互に配置される。
【００２８】
この実施形態では、１つの画素グループＥ１は、１つの黄色フィルタユニット２０ａ、１つの緑色フィルタユニット２０ｂ、および１つの青色フィルタユニット２０ｃを含む。黄色フィルタユニット２０ａ、緑色フィルタユニット２０ｂ、および青色フィルタユニット２０ｃは、直線に沿って配置される。いくつかの実施形態では、画素グループＥ１は、少なくとも２つの黄色フィルタユニット２０ａ、緑色フィルタユニット２０ｂ、および／または青色フィルタユニット２０ｃを含む。
【００２９】
図３Ａは、本開示のいくつかの実施形態に基づく、フィルタユニット２０の透過率と波長との対比を示す図である。黄色フィルタユニット２０ａは、光線の緑色光成分と赤色光成分を通過させる。いくつかの実施形態では、黄色フィルタユニット２０ａは、特定波長より長い波長の光線を通過させるハイパスフィルタであり、特定波長は、約４７０ｎｍ〜５４０ｎｍの範囲において５０％の透過率となる波長として定義される。言い換えれば、特定波長より長い波長を有する光線の少なくとも５０％が黄色フィルタユニット２０ａを通過することができる。
【００３０】
緑色フィルタユニット２０ｂは、光線の緑色光成分を通過させる。いくつかの実施形態では、緑色フィルタユニット２０ｂは、光線の緑色波長帯を通過させるバンドパスフィルタである。いくつかの実施形態では、緑色波長帯は、約４７０ｎｍ〜６００ｎｍの範囲において５０％の透過率となる波長として定義される。言い換えれば、緑色波長帯の光線の少なくとも５０％が緑色フィルタユニット２０ｂを通過することができる。緑色波長帯のうち透過率が５０％となる短波長側の波長、例えば４７０ｎｍは、黄色フィルタユニット２０ａの特定波長以下となる。
【００３１】
青色フィルタユニット２０ｃは、光線の青色光成分を通過させる。いくつかの実施形態では、フィルタユニット２０と画素グループＥ１は、光線の赤色光成分を通過させるが、光線の緑色光成分と青色光成分をブロックする任意の赤色フィルタユニット２０を含まない。
【００３２】
従って、黄色フィルタユニット２０ａは、赤色フィルタユニットより多くの光線を通過させ、イメージセンサ１の感度を向上させる。また、黄色、緑色、および青色フィルタユニットは、図３Ｂに示されるように、人間の目の錐体のスペクトルに合うものとなっている。従って、イメージセンサの感度と画像品質を向上させる。
【００３３】
いくつかの実施形態では、検知ユニット１２は、検知ユニット１２ａ、検知ユニット１２ｂ、および検知ユニット１２ｃを含む。検知ユニット１２ａは、黄色フィルタユニット２０ａの下方に配置され、黄色フィルタユニット２０ａを通過して入射する光線の強度に基づいて黄色強度信号を生成するように構成される。
【００３４】
検知ユニット１２ｂは、緑色フィルタユニット２０ｂの下方に配置され、緑色フィルタユニット２０ｂを通過して入射する光線の強度に基づいて緑色強度信号を生成するように構成される。
【００３５】
検知ユニット１２ｃは、青色フィルタユニット２０ｃの下方に配置され、青色フィルタユニット２０ｃを通過して入射する光線の強度に基づいて青色強度信号を生成するように構成される。
【００３６】
プロセスモジュール４０は、各画素グループＥ１の黄色強度信号、緑色強度信号、および青色強度信号を受信するように構成される。プロセスモジュール４０は、黄色強度信号に基づいて黄色の画素値、緑色強度信号に基づいて緑色の画素値、青色強度信号に基づいて青色の画素値、および黄色強度信号と緑色強度信号に基づいて赤色の画素値を生成する。
【００３７】
いくつかの実施形態では、プロセスモジュール４０は、黄色強度値から緑色強度値を差し引くことによって赤色の画素値を生成する。いくつかの実施形態では、赤色強度値、緑色強度値、および青色強度値は０〜１０２３の範囲の整数である。
【００３８】
赤色の画素値は、赤色に対応し、緑色の画素値は緑色に対応し、且つ、青色の画素値は青色に対応する。プロセスモジュール４０は、各画素グループＥ１の緑色、青色、および赤色の画素値に基づいて画素値を生成する。従って、画素は、プロセスモジュール４０によって画素グループＥ１の画素値に基づいて生成されることができる。
【００３９】
図４は、本開示のいくつかの実施形態に基づく、フィルタユニット２０の上面図である。いくつかの実施形態では、フィルタユニット２０は、Ｎ×Ｍアレイで配置される。Ｎ×Ｍは、整数である。いくつかの実施形態では、ＮとＭは、１〜１０の範囲にある。例えば、フィルタユニット２０は、２×２、２×３、２×４、３×３、３×４、または４×４アレイに配置される。
【００４０】
画素グループＥ１は、画素アレイに配置される。この実施形態では、画素グループＥ１は、４つのフィルタユニット２０を含む。フィルタユニット２０は、２×２アレイに配置される。いくつかの実施形態では、画素グループＥ１は、２つの緑色フィルタユニット２０ｂ、１つの黄色フィルタユニット２０ａ、および１つの青色フィルタユニット２０ｃを含む。緑色フィルタユニット２０ｂは、画素グループＥ１の２つの対向するコーナーに配置される。黄色フィルタユニット２０ａと青色フィルタユニット２０ｃは、画素グループＥ１のもう２つの対向するコーナーに配置される。
【００４１】
人間の目が緑色に敏感であるため、緑色フィルタユニット２０ｂの数は、黄色フィルタユニット２０ａの数および／または青色カラーフィルタユニット２０ｃの数より大きい。従って、イメージセンサ１によって生成された画像の緑色は、より高い感度を有し、イメージセンサ１の画像品質を向上させる。
【００４２】
図５は、本開示のいくつかの実施形態に基づく、フィルタユニット２０の上面図である。この実施形態では、画素グループＥ１は、２つの黄色フィルタユニット２０ａを含む。黄色フィルタユニット２０ａは、画素グループＥ１の２つの対向するコーナーに配置され、緑色フィルタユニット２０ｂと青色フィルタユニット２０ｃは、画素グループＥ１のもう２つの対向するコーナーに配置される。
【００４３】
従って、画像の黄色の色合いは、黄色フィルタユニット２０ａの数が緑色フィルタユニット２０ｂの数および／または青色カラーフィルタユニット２０ｃの数より大きいため、向上する。
【００４４】
図６は、本開示のいくつかの実施形態に基づく、フィルタユニット２０の上面図である。いくつかの実施形態では、各画素グループＥ１は、１つ以上の強調フィルタユニット２０を更に含む。この実施形態では、強調（ｅｎｈａｎｃｉｎｇ）フィルタユニット２０ｄは、光線の赤外光成分を通過させる。黄色フィルタユニット２０ａ、緑色フィルタユニット２０ｂ、および青色フィルタユニット２０ｃ、および強調フィルタユニット２０ｄは、フィルタアレイに配置される。従って、イメージセンサ１は、スペクトル判定装置であることができる。赤外光は、強調フィルタユニット２０ｄによって画像に示されることができる。
【００４５】
図７は、本開示のいくつかの実施形態に基づく、フィルタユニット２０の上面図である。いくつかの実施形態では、強調フィルタユニット２０ｄは、透明フィルタユニットである。いくつかの実施形態では、透明フィルタユニット２０ｄは、透明材料、例えば、有機透明材料または透明フォトレジストでできている。透明フィルタユニット２０ｄは、光線を通過させる。いくつかの実施形態では、透明フィルタユニット２０ｄは、光線をフィルタリングしない。
【００４６】
光線の赤色、緑色、および青色成分は、透明フィルタユニット２０ｄを通過することができるため、透明フィルタユニット２０ｄの下方の検知ユニット１２によって検知された光線の光量が増加される。また、透明フィルタユニット２０ｄの下方の検知ユニット１２の感度は増加される。従って、黄色、緑色、および青色フィルタユニット２０ａ、２０ｂ、および２０ｃに対する黄色、緑色、および青色強度信号の強度は、透明フィルタユニット２０ｄに対する強度信号に基づいて、プロセスモジュール４０（図１に示されるように）によって調整されることができる。従って、イメージセンサの感度を向上させる。
【００４７】
図８は、本開示のいくつかの実施形態に基づく、フィルタユニット２０の上面図である。図８では、説明を明確にするために、画素グループＥ１を１つだけ示している。各画素グループＥ１は、カラーグループＥ２を含む。いくつかの実施形態では、カラーグループＥ２は、カラーアレイに配置される。この実施形態では、カラーアレイは、２×２アレイである。
【００４８】
カラーグループＥ２は、カラーグループＥ２１、Ｅ２２、およびＥ２３を含む。カラーグループＥ２１は、少なくとも１つの黄色フィルタユニット２０ａと少なくとも１つの透明フィルタユニット２０ｄを含む。この実施形態では、カラーグループＥ２１は、２つの黄色フィルタユニット２０ａと２×２アレイで配置された２つの透明フィルタユニット２０を含む。従って、光線の黄色成分に対するイメージセンサ１の感度を向上させる。
【００４９】
カラーグループＥ２２は、少なくとも１つの緑色フィルタユニット２０ｂと少なくとも１つの透明フィルタユニット２０ｄを含む。この実施形態では、カラーグループＥ２２は、２つの緑色フィルタユニット２０ｂと２×２アレイで配置された２つの透明フィルタユニット２０を含む。従って、光線の緑色成分に対するイメージセンサ１の感度を向上させる。また、画素グループＥ１は、少なくとも２つのカラーグループＥ２２を含み、緑色成分に対するイメージセンサ１の感度を更に向上させる。
【００５０】
カラーグループＥ２３は、少なくとも１つの青色フィルタユニット２０ｃと少なくとも１つの透明フィルタユニット２０ｄを含む。この実施形態では、カラーグループＥ２３は、２つの青色フィルタユニット２０と２×２アレイで配置された２つの透明フィルタユニット２０を含む。従って、光線の青色成分に対するイメージセンサ１の感度を向上させる。
【００５１】
図９は、本開示のいくつかの実施形態に基づく、フィルタユニット２０の上面図である。カラーグループＥ２は、カラーグループＥ２２とＥ２４を含む。カラーグループＥ２４は、少なくとも１つの黄色フィルタユニット２０ａ、少なくとも１つの青色フィルタユニット２０ｃ、および少なくとも２つの透明フィルタユニット２０ｄを含む。この実施形態では、カラーグループＥ２４は、１つの黄色フィルタユニット２０ａ、１つの青色フィルタユニット２０ｃ、および２つの透明フィルタユニット２０ｄを含む。
【００５２】
図１０は、本開示のいくつかの実施形態に基づく、フィルタユニット２０の上面図である。カラーグループＥ２は、カラーグループＥ２５とＥ２６を含む。カラーグループＥ２５は、少なくとも１つの黄色フィルタユニット２０ａ、少なくとも１つの緑色フィルタユニット２０ｂ、および少なくとも１つの透明フィルタユニット２０ｄを含む。この実施形態では、カラーグループＥ２５は、１つの黄色フィルタユニット２０ａ、１つの緑色フィルタユニット２０ｂ、および２つの透明フィルタユニット２０ｄを含む。
【００５３】
カラーグループＥ２６は、少なくとも１つの青色フィルタユニット２０ｃ、少なくとも１つの緑色フィルタユニット２０ｂ、および少なくとも１つの透明フィルタユニット２０ｄを含む。この実施形態では、カラーグループＥ２６は、１つの青色フィルタユニット２０ｃ、１つの緑色フィルタユニット２０ｂ、および２つの透明フィルタユニット２０ｄを含む。
【００５４】
結論を言うと、従来のイメージセンサの赤色フィルタユニットは、黄色フィルタユニットによって置き換えられる。黄色フィルタユニット２０ａは、光線の緑色光成分と赤色光成分を通過させ、黄色、緑色、および青色フィルタユニットは、人間の目の錐体のスペクトルに合うものとなる。従って、イメージセンサの感度と画像品質が向上される。
【００５５】
本発明は、実施例として、且つ望ましい実施の形態の観点から記述されているが、本発明は開示された実施形態に限定されるものではないということを理解されるべきである。逆に、（当業者には自明の）種々の変更及び同様の配置をカバーするものであることが意図される。よって、添付の特許請求の範囲は、最も広義な解釈が与えられ、全てのこのような変更及び同様の配置を含むべきである。
【符号の説明】
【００５６】
１  イメージセンサ
１０  検知層
１１  基板
１２  検知ユニット
１２ａ、１２ｂ、１２ｃ  検知ユニット
１３  パッシベーション層
２０  フィルタユニット
２０ａ  黄色フィルタユニット
２０ｂ  緑色フィルタユニット
２０ｃ  青色フィルタユニット
２０d  透明フィルタユニット
３０  マイクロレンズ
４０  プロセスモジュール
Ｐ１  基準面
Ｅ１  画素グループ
Ｅ２、Ｅ２１、Ｅ２２、Ｅ２３、E２４、E２５、E２６、E２７  カラーグループ
IR  赤色光成分
Clear  透明フィルタユニット
【図１】
2017076769.tif 000003
【図２】
2017076769.tif 000004
【図３Ａ】
2017076769.tif 000005
【図３Ｂ】
2017076769.tif 000006
【図４】
2017076769.tif 000007
【図５】
2017076769.tif 000008
【図６】
2017076769.tif 000009
【図７】
2017076769.tif 000010
【図８】
2017076769.tif 000011
【図９】
2017076769.tif 000012
【図１０】
2017076769.tif 000013
【手続補正書】
【提出日】平成28年8月10日(2016.8.10)
【手続補正１】
【補正対象書類名】明細書
【補正対象項目名】００１６
【補正方法】変更
【補正の内容】
【００１６】
図１は、本開示のいくつかの実施形態に基づく、イメージセンサ１の概略図である。イメージセンサ１は、画像を撮像するように構成される。イメージセンサ１は、デジタルカメラなどの撮像機器に用いられることができる。いくつかの実施形態では、イメージセンサ１は、相補型金属酸化物半導体（ＣＭＯＳ）センサである。いくつかの実施形態では、イメージセンサ１は、裏面照射（ＢＳＩ）型のＣＭＯＳセンサでもよい。
【手続補正２】
【補正対象書類名】明細書
【補正対象項目名】００２９
【補正方法】変更
【補正の内容】
【００２９】
図３Ａは、本開示のいくつかの実施形態に基づく、フィルタユニット２０の透過率と波長との対比を示す図である。黄色フィルタユニット２０ａは、光線の緑色光成分と赤色光成分を通過させる。いくつかの実施形態では、黄色フィルタユニット２０ａは、特定波長より長い波長の光線を通過させるハイパスフィルタであり、特定波長は、約４７０ｎｍ〜５４０ｎｍの範囲において５０％の透過率となる波長として定義される。言い換えれば、可視光の特定波長より長い波長を有する光線の少なくとも５０％が黄色フィルタユニット２０ａを通過することができる。
【手続補正３】
【補正対象書類名】明細書
【補正対象項目名】００４３
【補正方法】変更
【補正の内容】
【００４３】
従って、画像の赤及び緑の色合いは、黄色フィルタユニット２０ａの数が緑色フィルタユニット２０ｂの数および／または青色カラーフィルタユニット２０ｃの数より大きいため、向上する。